(57)【要約】【課題】従来は、表示部と制御部が分かれており、使用が煩雑であったパネル型ディスプレイに置ける課題を解決し、複数の主電源立ち上がり時のタイミングを効率的に制御する事を目的とする。【解決手段】チューナ部、ＰＤＰ部に共通するスイッチ手段、個々にスタンバイ電源手段、サブ制御手段、制御手段を有する。【選択図】　図１
2004045484.tif 000002
【特許請求の範囲】
【請求項１】
第１の電源から電力が供給される第１の制御手段と、前記第１の電源の異常を検出する第１の異常検出部とを備える信号処理部と、第２の電源から電力が供給される第２の制御手段と、前記第２の電源の異常を検出する第２の異常検出部とを備える表示部と、前記第１の電源および前記第２の電源を立ち上げるための信号を出力するスイッチ手段とを備え、前記スイッチ手段からの信号に基づき前記第１の主電源を立ち上げ前記第１の制御手段を動作させ、かつ前記第２の主電源を立ち上げ前記第２の制御手段を動作させるとともに、前記第１の異常検出部または前記第２の異常検出部が異常を検知したら前記第１の電源または前記第２の電源を強制的に切断することを特徴とする表示装置。
【請求項２】
表示部に電源異常状態を表示するための表示手段をさらに備えることを特徴とする請求項１記載の表示装置。
【発明の詳細な説明】
【０００１】
【発明の属する技術分野】
本発明は、表示用のＡＶ信号を制御する信号処理部（例えば、広義のチューナ部）と、この信号処理部で信号処理されたＡＶ信号を表示する、例えばプラズマディスプレイパネル（ＰＤＰ）、液晶表示パネル（ＬＣＤ）、エレクトロルミネッセンスディスプレイ（ＥＬ）等のパネル型の表示部とからなり、表示部と信号処理部とを一体にしたパネル型表示装置に関するものである。
【０００２】
【従来の技術】
従来は、例えばＰＤＰを表示部としたテレビジョン受像機のような大画面、薄型のパネル型のディスプレイは、その薄さを前面に出して商品訴求を行うため、表示部にＡＶ信号入力切替部あるいは広義のチューナ部を内蔵することなく、ＡＶ信号入力切替部と表示部とを別々の筐体とした製品構成をとる場合が多い。このような場合は、個々の異常を一意的に知ることはなかった。例えば、特開平９−２４４５７１号公報にはパネル型ディスプレイの異常表示機能について記載されており、ＰＤＰやＬＣＤ等を使用するパネル型ディスプレイではその薄型のパネルの特長を生かすため表示部とその表示部に表示映像信号等を供給する制御部を分離して構成し、さらにこれらの間のケーブルを少なくする等のために各々の駆動する電源もそれぞれ独立に設けることが多い。しかし、このような構成では、表示部で起こった異常を制御部で把握できないため、異常時に迅速な対応ができず、修理等の際の情報も得にくいと言う問題があるという課題に対し、表示部と制御部が分かれているパネル型ディスプレイにおいて、制御部から表示部の異常を容易にかつ的確に把握する技術について開示がなされている。
【０００３】
また、特開平９−２４４５７１号公報では、表示部と制御部（例えば、映像信号処理部）が２体に分離されているような形態を有するパネル型ディスプレイでは、上述した課題にある用に表示部と制御部の２体もので有るがゆえに、制御部側で一意的に表示部側の異常管理を行おうとしていた。
【０００４】
パネル型ディスプレイは、非常に高価であり業務用として使われることが多く、表示部の薄さの訴求が最重点項目であったために２体型で構成されていた。図１４に従来の２体型のパネル型ディスプレイの構成例を示す。この図面では、ＰＤＰ（プラズマディスプレイパネル）からなる表示部１とチューナ部２から構成されるとともに、リモコン３でこれらを制御するような形態を取っていた。電源についても、表示部１とチューナ部２はそれぞれ個別の電源（ＡＣ）に接続されているように、個々に必要であった。
【０００５】
【発明が解決しようとする課題】
このように従来の２体型のパネル型ディスプレイでは、制御部と表示部とがそれぞれ独立しており、おのおのの構成の電源を立ち上げる際には、個々の電源スイッチを入れなければならないというような課題があった。
【０００６】
一方、ＤＶＤ（デジタル・バーサタイル・ディスク）のソフトまたはハード機器の充実による一般家庭でのパネル型ディスプレイを用いたホームシアターの構築の願望、またはＢＳデジタル放送の開始による高画質デジタルハイビジョン放送をより大画面・高画質のディスプレイで視聴したいとの要望が徐々に高まり、このパネル型ディスプレイは、業務用のみならず一般家庭における人気・需要も高まり、そのために制御部（例えば、チューナ部（単体の電子部品としてのチューナではなく））と表示部とを一体型にし、パネル型ディスプレイの構成をコンパクトにする必要性が出てきた。
【０００７】
しかし、従来ではパネル型ディスプレイの表示部での消費電力量や、制御部を共通にして表示部を、例えば３７インチ型、４２インチ型、５０インチ型以外のインチ展開すること、さらには各国展開による消費電力の差異、また電源へのデジタル妨害等を考慮すると、制御部（例えば、チューナ部）と表示部（たとえばＰＤＰ）の電源の分離しておくことが必要であり、また、一体のものとする場合には、制御部および表示部それぞれの異なる電源の立ち上がりを制御しなければならないという課題があった。
【０００８】
本願発明は、これらの課題を解決した表示装置を提供することを目的とするものである。
【０００９】
【課題を解決するための手段】
上記課題を解決するために、本願発明は第１の電源から電力が供給される第１の制御手段と、前記第１の電源の異常を検出する第１の異常検出部とを備える信号処理部と、第２の電源から電力が供給される第２の制御手段と、前記第２の電源の異常を検出する第２の異常検出部とを備える表示部と、前記第１の電源および前記第２の電源を立ち上げるための信号を出力するスイッチ手段とを備え、前記スイッチ手段からの信号に基づき前記第１の主電源を立ち上げ前記第１の制御手段を動作させ、かつ前記第２の主電源を立ち上げ前記第２の制御手段を動作させるとともに、前記第１の異常検出部または前記第２の異常検出部が異常を検知したら前記第１の電源または前記第２の電源を強制的に切断することを特徴とするものである。
【００１０】
具体的には第１のスタンバイ電源、第１のスタンバイ電源から電源を供給される第１のサブ制御手段、第１のサブ制御手段によって制御される第１の電源オンオフ切り替え手段、第１の主電源、第１の主電源回路に含まれる任意数の異常検出手段、第１の主電源から電源を供給される第１の制御手段、第１の制御部から制御される信号処理部と、第２のスタンバイ電源、第２のスタンバイ電源から電源を供給される第２のサブ制御手段、第２のサブ制御手段によって制御される第２の電源オンオフ切り替え手段、第２の主電源、第２の主電源回路に含まれる任意数の異常検出手段、第２の主電源から電源を供給される第２の制御手段、第２の制御部から制御される表示部、第１のスタンバイ電源と第２のスタンバイ電源に共通して用いられる第３の電源オンオフ切り替え手段からなる。
【００１１】
また、表示装置の状態は、スタンバイ時であることを示す表示手段、または表示装置が通電中であることを示す表示手段、あるいは通信回線との接続を示す表示手段を有する。
【００１２】
第１の主電源の異常を示す任意の表示手段、第２の主電源の異常を示す任意の表示手段を、任意回数点滅させる手段を有する。
【００１３】
【発明の実施の形態】
図１に本発明におけるチューナと表示部を一体化にした一体型パネルテレビの一実施例を示す。１０は一体型パネルテレビ、２０はチューナ部、４０はＰＤＰである。これらは、リモコン３によって制御される。
【００１４】
以下、図２を用いて本発明の一実施例について説明する。図２において１０は既に図１で説明した一体型パネルテレビ、２０はチューナ部、４０はＰＤＰであり、それぞれ説明のため枠により囲んでいる。
【００１５】
１１は各スタンバイ電源に関するスイッチであるＳＷ部、１２はリモートコントローラ（以下リモコン）からの赤外光線を受光するインターフェース手段であるＩＲ受光部、１３は電源スタンバイ時に赤色に点灯する第１のＬＥＤ、１４は通常動作時に緑色に点灯する第２のＬＥＤ、１５は例えば通信回線（特に図示せず）と接続中に赤色に点灯する第３のＬＥＤ、２１はチューナ部２０側のスタンバイ電源、２２はスタンバイ電源２１から電源供給され動作するスタンバイ制御部であるサブ制御部、２３は電源のオンオフ切り替えを行うＳＷ部（説明のため電源部からは分離している）、２４はチューナ部２０の主電源となりかつ任意数の異常検出手段を有する電源部、２５は、信号処理を行う各部を制御するための制御部、２６はＢＳ（衛星放送）あるいは地上波放送の狭義の意味での電子部品機能としてのチューナ、２７は各ＡＶ入力の入力端子等からなるＡＶ入力部、２８は、チューナ２６およびＡＶ入力部２７からのＡＶ信号を切り替えるＡＶＳＷ（スイッチ）、２９は、ＡＶＳＷ（スイッチ）２８からの映像信号を処理する映像処理部、３０は、電源部２４から電源供給されるブロックであるＡＶ制御部である。また、ＡＶＳＷ２８からの音声信号はライン信号としてＰＤＰ４０に供給される。
【００１６】
次に４１は、ＰＤＰ４０側のスタンバイ電源、４２は、スタンバイ電源４１から電源供給され動作するスタンバイ制御部であるサブ制御部、４３は、電源のオンオフ切り替えを行うＳＷ部（説明のため電源部からは分離している）、４４はＰＤＰ４０の主電源となりかつ任意数の異常検出手段を有する電源部、４５は信号処理を行う各部を制御するための制御部、４６は映像処理部２９からの映像信号をパネル型表示するために最適なフォーマット変換をおこなうための映像フォーマット変換部、４７は実際に表示を行うパネル表示部、４８はＡＶＳＷ２８からの音声信号を高低音その他の音声処理を行い増幅し増幅した音声信号としてスピーカー（図示せず）に供給するための音声処理増幅部、４９はパネル表示部に応じた駆動をおこなうためのドライバ部である。５０は電源部４４から電源供給されるブロックをまとめたパネル制御部である。
【００１７】
（実施の形態１）
図２で示した様にＳＷ部１１がオンにされると（例えばＳＷ部１１によりスタンバイ電源部２１およびスタンバイ電源部４１の電源回路部がグランドに落とされることで実現する。）、スタンバイ電源部２１とスタンバイ電源部４１の電源が立ち上がる。このことにより、サブ制御部２２とサブ制御部４２が立ち上がる。ＳＷ部１１から電源が立ち上がった場合は、あるいはあらかじめ、スタンバイ電源部２１およびスタンバイ電源部４１が立ち上がっている場合でリモコンなどの電源キーが押下された場合でスタンバイのオフ状態からオン状態が要求された場合、サブ制御部２２は、ＳＷ部２３をオンすることにより、電源部２４を立ち上げる。同様にサブ制御部４２はＳＷ部４３をオンすることにより、電源部４４を立ち上げる。
【００１８】
この際、電源部２４、電源部４４はスタンバイ電源部２１あるいは、スタンバイ電源部４１に比べ負荷容量が大きいため、電源の立ち上がりに差異が生じる。よって、回路の経年変化に等による立ち上がり時間の変動等も考慮し、常にチューナ部２０とＰＤＰ４０の過渡的な電源立ち上がりを判断し、一体物としての動作の同期を取る必要がある。このため、制御部２５と制御部４５は、互いに通信を行うことで状態を判別する必要がある。
【００１９】
電源部２４に異常が生じた場合、電源部２４内に構成される電源異常検出部がその異常を制御部２５に知らせる。
【００２０】
異常検出は、例えば、
（１）ツェナーダイオードを用いた回路を構成し、通常状態では、０電圧がかかり、異常時には、ツェナーダイオードより一定電圧が制御部のポートにかかるようにする。
（２）あるいは、ＦＡＮモータの過電流検出回路を制御部のポートに接続する。
【００２１】
（３）温度センサーが一定温度以上になると一定電圧が制御部のポートにかかる様にする。
（４）ヒューズ抵抗を設けておき、ヒューズ抵抗が切れた際の電圧変化を制御部のポートにかかるようにする。
等があげられる。
【００２２】
図３〜図６までに各制御部、制御部２５、サブ制御部２２、制御部４５およびサブ制御部４２の動作について示す。
【００２３】
図３のフォローチャートに示したように電源部２４の任意の異常検出部より異常検出情報が制御部２５に送られる。制御部２５は、制御部２５の通常処理を終え、処理内容等のデータバックアップ等の終了設定を行う。
【００２４】
次にサブ制御部２２に対し、電源部２４での異常検出情報を転送し、電源部２４の切断を要求する。さらに制御部４５に対して電源異常に伴う終了要求を行う。
【００２５】
図４に示したようにサブ制御部２２は、制御部２５からの異常終了要求を受信すると直ちにＳＷ部２３を制御し、電源部２４の電源を切断する。
【００２６】
また、ＰＤＰ４０においては、図５に示したように制御部４５は、制御部２５からの異常終了要求を受信すると制御部４５の通常処理を終え、処理内容等のデータバックアップ等の終了設定を行う。次にサブ制御部４２に対し電源部２４の異常検出に伴う終了処理として電源部４４の切断要求を行う。
【００２７】
図６に示した様にサブ制御部４２は、制御部４５からの異常終了要求を受信し、ＳＷ部４３を制御し電源部４４の電源を切断する。以上の流れにより、一体型パネルテレビは、電源部２４の異常検出に伴う異常終了を行う。
【００２８】
次にＰＤＰ４０側の電源部４４に異常が生じた場合、電源部４４内に構成される電源異常検出部がその異常を制御部４５に知らせる。異常検出は、電源部２４の異常の時に説明したのと同様の方法で行われる。
【００２９】
図７〜図１０までに各制御部、制御部４５、サブ制御部４２、制御部２５およびサブ制御部２２の動作について示す。図７のフローチャートに示したように電源部４４の任意の異常検出部より異常検出情報が制御部４５に送られる。制御部４５は、制御部４５の通常処理を終え、処理内容等のデータバックアップ等の終了設定を行う。
【００３０】
次にサブ制御部４２に対し、電源部４４での異常検出情報を転送し、電源部４４の切断を要求する。さらに制御部２５に対して電源異常に伴う終了要求を行う。
【００３１】
図８に示したようにサブ制御部４２は、制御部４５からの異常終了要求を受信すると直ちにＳＷ部４３を制御し、電源部４４の電源を切断する。
【００３２】
図９に示したように制御部２５は、制御部４５からの異常終了要求を受信すると制御部２５の通常処理を終え、処理内容等のデータバックアップ等の終了設定を行う。次にサブ制御部２２に対し電源部４４の異常検出に伴う終了処理として電源部２４の切断要求を行う。
【００３３】
図１０に示した様にサブ制御部２２は、制御部２５からの異常終了要求を受信し、ＳＷ部２３を制御し電源部２４の電源を切断する。
【００３４】
以上の流れにより、一体型パネルテレビは、電源部４４の異常検出に伴う異常終了を行う。
【００３５】
（実施の形態２および実施の形態３）
電源部２４に異常が発生した場合あるいは、電源部４４に異常が発生した場合、各々の異常状態を専用のスタンバイ機能を有するサブ制御部２２、サブ制御部４２に認識させると共に専用の異常表示部を設けることなく、パネル型の表示装置に基本機能として具備してなるスタンバイ状態を示す第１のＬＥＤ１３、通常通電状態を示す第２のＬＥＤ１４、あるいはその他通信状態（一般的なＢＳデジタルチューナを有しておれば、そのサービスのためのモデムとの接続通信状況など）を示すための表示状態を示す第３のＬＥＤを兼用して、電源異常状態を表示する。
【００３６】
具体的には、第１のＬＥＤ１３はスタンバイ電源部２１の低電圧電源に接続され抵抗を介しドライバであるＮＰＮ型トランジスタのコレクタに接続される。
【００３７】
このトランジスタのエミッタ部は接地されベースには、抵抗を介してサブ制御部２２のポートと接続される。スタンバイ時は、サブ制御部２２のポートよりトランジスタがオンされ第１のＬＥＤ　１３に電流が流れることでＬＥＤが点灯する。
【００３８】
チューナ部２０の電源部２４の異常時もサブ制御部２２より駆動される。同様に　第２のＬＥＤ１４もスタンバイ電源部２１の低電圧電源に接続され抵抗を介しドライバであるＮＰＮ型トランジスタのコレクタに接続される。このトランジスタのエミッタ部は接地されベースには、抵抗を介してサブ制御部２２のポート、あるいは制御部２５あるいは、サブ制御部４２と接続される。通常動作時は、サブ制御部２２あるいは制御部２５のポートよりトランジスタがオンされ第２のＬＥＤ１４に電流が流れることでＬＥＤが点灯する。
【００３９】
ＰＤＰ４０の電源部４４の異常時は、サブ制御部４２から駆動される。同様に第３のＬＥＤ１５もスタンバイ電源部２１の低電圧電源に接続され抵抗を介しドライバであるＮＰＮ型トランジスタのコレクタに接続される。このトランジスタのエミッタ部は接地されベースには、抵抗を介して制御部２５あるいは、サブ制御部４２と接続される。通信時は、制御部２５のポートよりトランジスタがオンされ第２のＬＥＤ１４に電流が流れることでＬＥＤが点灯する。
【００４０】
ＰＤＰ４０の電源部４４の異常時は、サブ制御部４２から駆動される。
【００４１】
一般的な製品では、第１のＬＥＤ１３と　第２のＬＥＤ１４は、ひとつのモジュールに構成されるデュアルタイプＬＥＤである場合があり、個々のＬＥＤで点滅させる場合、第１のＬＥＤ１３で電源部２４の異常を、第３のＬＥＤ１５で電源部４４の異常を示す。
【００４２】
通信手段を有さない一体型パネルテレビあるいは通信手段を有するが一体型パネルテレビと共有化を考慮した場合は、第１のＬＥＤ　１３で電源部２４の異常を第２のＬＥＤ　１４で電源部４４の異常を示す。
【００４３】
また、サブ制御部２２は制御部２５からの電源部２４の特定の異常部を示す情報より、第１のＬＥＤ１３に対して点滅信号を加えるものであってもよい。同様にサブ制御部４２は、制御部４５からの電源部４４の特定の異常部を示す情報より、第２のＬＥＤ１４（あるいは第３のＬＥＤ１５）に対して点滅信号を加えるものであってもよい。この場合の例として図１１に電源部２４の異常時における点滅回数とその点滅回数に対応した異常箇所の対比表の実施例を示す。また図１２に電源部４４の異常時における点滅回数とその点滅回数に対応した異常箇所の対比表の実施例を示す。図１３には異常時のＬＥＤ点滅周期にタイミングの実施例を示す。
【００４４】
例えば図１３に示したように５秒点灯継続、１秒滅、１秒点灯、１秒滅、１秒点灯、１秒滅、５秒点灯継続であれば、点滅３回と計数する。
【００４５】
このことにより市場のサービスマンあるいはサービス会社等に対し、異常原因を速やかに判断し、修理を行うための判断基準を提供できる。
【００４６】
【発明の効果】
以上に示したように本発明によれば、制御部と表示部を１体型にした形態をとったパネル型ディスプレイにおいて、ひとつの電源スイッチでどちらの電源をもたいあげるという対応できると言う効果がある。同様にＡＣ電源は、一系統のみで対応できると言う効果がある。
【００４７】
また任意の表示手段あるいはＬＥＤ等を用いることでどちらの電源に異常が生じているかを明確にすることができる。さらに個々の異常個所に応じた点滅回数を制御する機能を導入したことで、どちらの電源のどの箇所に異常が生じたかが瞬時に分ると言うきわめて優れた効果を得ることが出来る。
【００４８】
このことにより市場のサービスマンあるいはサービス会社等に対し、異常原因を速やかに判断し、修理を行うための判断基準を提供できる。
【図面の簡単な説明】
【図１】本発明における表示装置の基本構成を示す図
【図２】本発明の表示装置の一実施の形態例を示すブロック図
【図３】同表示装置のチューナー部の制御部の一動作例であるフローチャート
【図４】同表示装置のチューナー部のサブ制御部の一動作例であるフローチャート
【図５】同表示装置のＰＤＰの制御部の一動作例であるフローチャート
【図６】同表示装置のＰＤＰのサブ制御部の一動作例であるフローチャート
【図７】同表示装置のＰＤＰの制御部の他の動作例であるフローチャート
【図８】同表示装置のＰＤＰのサブ制御部の他の動作例であるフローチャート
【図９】同表示装置のチューナー部の制御部の他の動作例であるフローチャート
【図１０】同表示装置のチューナー部のサブ制御部の他の動作例であるフローチャート
【図１１】同表示装置のチューナー部の電源部の点滅回数及び異常個所との対応を示す図
【図１２】同表示装置のＰＤＰの電源部の点滅回数及び異常個所との対応を示す図
【図１３】同表示装置の異常発生時の点滅周期タイミングを示すパルス図
【図１４】従来の２体型表示装置の基本構成を示す図
【符号の説明】
１０　一体型パネルテレビ
１１　ＳＷ部
１２　ＩＲ受光部
１３　第１のＬＥＤ
１４　第２のＬＥＤ
１５　第３のＬＥＤ
２０　チューナ部
２１　スタンバイ電源部
２２　サブ制御部
２３　ＳＷ部
２４　電源部
２５　制御部
２６　チューナ
２７　ＡＶ入力部
２８　ＡＶＳＷ
２９　映像処理部
３０　ＡＶ制御部
４１　スタンバイ電源部
４２　サブ制御部
４３　ＳＷ部
４４　電源部
４５　制御部
４６　映像フォーマット変換部
４７　パネル表示部
４８　音声処理増幅部
４９　ドライバ部
５０　パネル制御部
【図１】
2004045484.tif 000003
【図２】
2004045484.tif 000004
【図３】
2004045484.tif 000005
【図４】
2004045484.tif 000006
【図５】
2004045484.tif 000007
【図６】
2004045484.tif 000008
【図７】
2004045484.tif 000009
【図８】
2004045484.tif 000010
【図９】
2004045484.tif 000011
【図１０】
2004045484.tif 000012
【図１１】
2004045484.tif 000013
【図１２】
2004045484.tif 000014
【図１３】
2004045484.tif 000015
【図１４】
2004045484.tif 000016